(57)【要約】【課題】茶葉やコーヒー粉末などを入れた後にポットなどからの湯を注ぐことが容易となるように開口が十分に大きく開くフィルター用の袋を提供すること。【解決手段】フィルター用の袋１は、一方又は両方が透液性を有し、両側部と下端縁部とが一体化されてなる前、後面部５，６と、折り返し部１０とから構成されている。後面部６は、前面部５の上端縁部５ａから上方へ延びた突出部６ｂを有し、前面部５の上端縁部５ａと後面部６内面とで開口９を形成している。折り返し部１０は、後面部６の外面側でその上端縁部６ａから下方へ延び、その両側縁部それぞれが後面部６の側縁部に一体化されている。折り返し部分１０の各側縁部は、後面部６の上端縁部近傍の部位１２で後面部６の外面と離間し、後面部６と折り返し部分１０との間に一条のひも４が挿通され、ひも４の両端部４ａ，４ｂが折り返し部分１０の外側で連結された状態にある。【選択図】      図１
2004149132.tif 000002
【特許請求の範囲】
【請求項１】
矩形を呈し少なくとも一方が透液性を有する第１シートと第２シートとが重なり合い、これら両シートの側縁部どうしおよび下端縁部どうしが一体化し、上端縁部側に開口が形成されたフィルター用の袋において、
前記第２シートが、前記第１シートの上端縁部を越えてさらに上方へ延びる突出部を有し、
前記開口が、前記第１シートの前記上端縁部と該上端縁部に向かい合う前記第２シートとで形成され、前記突出部の外面側には前記第２シートの上端縁部から前記下端縁部へ向かって延びる折り返し部が設けられ、前記折り返し部の側縁部それぞれが、前記第２シートの側縁部外面に一体化するとともに、前記第２シートの前記上端縁部近傍の部位では前記外面から離間しており、前記袋の幅方向へ延びるひもが前記部位それぞれに挿通されて前記第２シートと前記折り返し部との間に延在するとともに、前記ひもの両端部が前記折り返し部の外側で連結された状態にあることを特徴とする前記フィルター用の袋。
【請求項２】
前記折り返し部の剛性が、前記第２シートの前記突出部のそれより大きい請求項１に記載の前記袋。
【請求項３】
前記折り返し部における上下方向の長さが、前記第２シートの前記突出部の上下方向の長さにほぼ等しい請求項１又は２に記載の前記袋。
【発明の詳細な説明】
【０００１】
【発明の属する技術分野】
この発明は、茶葉、コーヒー粉末等からお茶やコーヒーを抽出するときに使用するのに好適なフィルター用の袋に関する。
【０００２】
【従来の技術】
従来、この種のフィルター用の袋として、熱可塑性合成繊維からなる透液性の不織布や熱可塑性合成樹脂からなる透液性の開孔プラスチックフィルム等の透液性のシートからなる袋本体と取り出し用のひもとによって形成されているものが知られている（例えば、特許文献１参照。）。特許文献１に記載のフィルター用の袋は、専ら削り節や煮干しを煮出すときに使用するもので、２枚のシートが上端縁部どうしで開口を形成し、２枚のうちの一方のシートの外側には上端縁部から下端縁部に向かっての折り返し部分が設けられている。この袋は、折り返し部分を裏返すと開口を閉じることができる。開口が閉じた袋は、湯の中でも開口が容易に開かず、また取り出し用のひもを箸などで引っ掛けてこれを鍋等から取り出すときにも袋の開口が大きく開くことがなく、袋から内容物が漏れるのを防止できるようにしたものであった。
【０００３】
【特許文献１】
特開２００２−１９３２７７号公報
【０００４】
【発明が解決しようとする課題】
特許文献１に記載されたフィルター用の袋は、茶葉やコーヒー粉末を入れ、ポットなどから湯を袋の開口に注ぎ、茶葉やコーヒー粉末を好みの状態で抽出しようとする使用には適さなかった。その理由は、このフィルター用の袋では、折り返し部分を裏返せば開口が閉じてしまい、また折り返し部分を裏返さず、開口が閉じない状態で使用しようとしても、開口が十分に開かず、ポットなどからの湯を袋の開口にうまく注げないということがあったからである。
【０００５】
この発明が目的とするのは、茶葉やコーヒー粉末などを入れた後にポットなどからの湯を注ぐことが容易なように開口が十分に大きく開くフィルター用の袋の提供である。
【０００６】
【課題を解決するための手段】
前記課題を解決するための本発明の前提は、矩形を呈し少なくとも一方が透液性を有する第１シートと第２シートとが重なり合い、これら両シートの側縁部どうしおよび下端縁部どうしが一体化し、上端縁部側に開口が形成されたフィルター用の袋である。
【０００７】
かかる前提において、この発明が特徴とするところは、次のとおりである。前記第２シートが、前記第１シートの上端縁部を越えてさらに上方へ延びる突出部を有し、前記開口が、前記第１シートの前記上端縁部と該上端縁部に向かい合う前記第２シートとで形成され、前記突出部の外面側には前記第２シートの上端縁部から前記下端縁部へ向かって延びる折り返し部が設けられ、前記折り返し部の側縁部それぞれが、前記第２シートの側縁部外面に一体化するとともに、前記第２シートの前記上端縁部近傍の部位では前記外面から離間しており、前記袋の幅方向へ延びるひもが前記部位それぞれに挿通されて前記第２シートと前記折り返し部との間に延在するとともに、前記ひもの両端部が前記折り返し部の外側で連結された状態にある。
【０００８】
この発明の実施の態様の一例として、前記折り返し部の剛性が、前記第２シートにおける前記突出部のそれより大きい。また、この発明の実施の態様の他の例として、前記折り返し部における上下方向の長さは、前記第２シートの前記突出部の上下方向の長さにほぼ等しくされている。
【０００９】
【発明の実施の形態】
添付の図面を参照し、この発明に係るフィルター用の袋の詳細を説明すると、以下のとおりである。
【００１０】
図１は、第１実施形態に係るフィルター用の袋１の部分破断斜視図、図２は、図１のＩＩ−ＩＩ線断面図である。フィルター用の袋１は、熱可塑性合成繊維からなる透液性の不織布や熱可塑性合成樹脂からなる透液性の開孔プラスチックフィルム等の透液性のシート２からなる袋本体３と吊り下げ用のひも４とによって形成されている。図示例の袋本体３は、第１シートからなる前面部５と、第２シートからなる後面部６と、折り返し部１０とから構成されている。この袋本体３は、１枚のシート２を折り重ねて形成された矩形のもので、前面部５の下端縁部でシート２を折り返して後面部６が形成され、後面部６の上端縁部６ａでシート２を袋１の外側へさらに折り返して折り返し部１０が形成されている。
【００１１】
前面部５と後面部６とは、側縁部どうしが接合線８で溶着一体化されて袋状にされ、前，後面部５，６の下端縁部には底部７が形成され、上端縁部側には開口９が形成されている。後面部６は、前面部５の上端縁部５ａを越えて底部７とは反対の上方向へ延びている。開口９は、前面部５の上端縁部５ａとそれが向かい合う後面部６の内面とで形成されている。
【００１２】
折り返し部１０は、後面部６の上端縁部６ａから第２シートの外面側へ底部７に向かって延びている。折り返し部１０の上下方向の長さは、後面部６において前面部５の上端縁部５ａからそれを越えて上方へ上端縁部６ａまで延びている突出部６ｂの上下方向の長さとほぼ同じである。
【００１３】
前面部５では、シート２が開口９の縁である上端縁部５ａから袋本体３の内側へ底部７に向かって折り返されている。この折り返された部分５ｂと、これが重なるシート２との内面どうしが幅方向に溶着一体化され、前面部５の上端縁部５ａ付近が補強されている。
【００１４】
図３は、図１のＩＩＩ−ＩＩＩ線に沿う袋１の断面図であって、接合線８の断面形状を示す。接合線８ではシート２の重なり合う部分が溶融一体化しているが、図３には溶融する以前のそれら部分の存在が鎖線によって明らかにされている。接合線８は、底部７から延びて開口９へ至り、前面部５の側縁部と後面部６の側縁部どうしを溶着一体化しているとともに、開口９を越えて後面部６の突出部６ｂへ延び、突出部６ｂの側縁部と折り返し部１０の側縁部どうしも溶着一体化している。この接合線８は、後面部６の上端縁部６ａの手前で終わり、接合線８の上端１１と後面部６の上端縁部６ａとの間の部位１２（図１参照）では、後面部６と折り返し部１０とが非接合状態にある。
【００１５】
接合線８の上端１１と後面部６の上端縁部６ａとの間には、後面部６と折り返し部１０とが環状部１５を形成し、その内側には一条のひも４が納まっている。すなわち、ひも４は、後面部６と折り返し部１０との間にあって後面部６の非接合状態にある両側縁部に向かって延び、部位１２において後面部６と折り返し部１０との間から外へ出た両端部４ａ，４ｂが図１に示されるように折り返し部１０の外で結ばれて環を形成している。ひも４は、後面部６や折り返し部１０によって拘束されることがなく、双頭矢印１３（図１参照）方向へ動かすことができる。
【００１６】
図４〜６は、袋本体３に開口９から茶葉やコーヒー粉末（図示せず）を入れた後、その袋本体３の開口９からお湯を注ぐ準備をするまでの手順を示す袋１の斜視図である。図４〜６のうち、図５は、図４の袋１を矢印ＩＶの方向から見たときの斜視図である。茶葉やコーヒー粉末を入れた袋本体３は、図１において、後面部６の上方角部１６が仮想線で示された折曲線１７に沿って矢印１８方向へ、後面部６の突出部６ｂどうしが重なるように折曲されて図４の状態となる。図１，２で上方へ延びていたひも４は、下方へ延びるようにその向きを変える。
【００１７】
図５に示される袋本体３の折り返し部１０が矢印１９方向ヘ、即ち折り返し部１０が前面部５へ向かって裏返しにされて図６の状態となる。この状態では、後面部６と折り返し部１０との間に隠れていたひも４の上方部分４ｃが露出する。折り返し部１０の上下方向の長さは、後面部６の突出部６ｂのそれとほぼ同じであるので、前面部５へ向かって裏返しにされた折り返し部１０が開口９を塞ぐことはなく、また開口９が大きく開けば湯を開口９に注ぐときに邪魔になることはない。
【００１８】
この袋１をコーヒーカップ等の容器（図示せず）内に入れて、露出したひも４の上方部分４ｃを引っ張ると、ひも４の下方部分４ｄは図６で見て左右方向における環の幅が次第に減少し、やがて袋本体３の上方角部１６，１６を矢印２０，２１方向へ動かして図６に仮想線で示すように互いに接近させる。
【００１９】
上方角部１６，１６どうしのこのような接近は、後面部６の上端縁部６ａにおける両側縁部間の距離を縮め、図６に仮想線６ｃで示すように後面部６の上端縁部６ａを前面部５とは反対側へ凸状に湾曲させると同時に前面部５の上端縁部５ａを後面部６とは反対側へ凸状に湾曲させて袋本体３の開口９が大きく開くように作用する。コーヒーカップ等の容器内に入れた袋１の開口９を、このようにして大きく開くことができるので、前面部５へ向かって裏返しにされた折り返し部１０に邪魔されることなく、その開口９から容易にお湯を注ぎ入れることができる。特に、袋本体３に入れられた茶葉やコーヒー粉末が少量であっても開口９を十分に大きく開くことができるので、その開口９から容易にお湯を注ぎ入れることができる。
【００２０】
図７は、第２実施形態に係るフィルター用の袋２０の部分破断斜視図、図８は、図７のＶＩＩＩ−ＶＩＩＩ線断面図である。図７，８に示す袋２０において、図１，２に示す袋１と同一又は相当する構成部分には同一の参照符号を付けてその説明を省略する。この袋２０が袋１と相違する点は、折り返し部１０の構成にある。この袋２０では、折り返し部１０が、シート２を後面部６の上端縁部６ａで折り返し、さらに下端縁部１０ａで後面部６の外面に向かい合う面の側に上方向へ向かって折り返えすことにより２枚重ねにして形成されている。
【００２１】
折り返し部１０の下端縁部１０ａで折り返されたシート２は、上端縁部６ａの近傍における後面部６に重ねられて終わっている。このシート２の終端部１０ｃは、それが重ね合わされるシート２（上端縁部６ａ近傍における後面部６）にその幅方向に溶着一体化されている。このように、袋２０では、折り返し部１０が、シート２を２枚重ねにして形成されているので、その剛性が突出部６ｂのそれより高い。
【００２２】
袋２０では、袋１の場合と同様に、茶葉やコーヒー粉末を袋本体３に入れた後、後面部６の上方角部１６を折曲線１７に沿って折曲し、次いで袋本体３の折り返し部１０が前面部５へ向かって裏返しにされる。この袋２０をコーヒーカップ等の容器（図示せず）内に入れて、ひも４の上方部分４ｃを引っ張ると、ひも４の下方部分４ｄにおける環の幅が次第に減少し、やがて袋本体３の上方角部１６，１６を互いに接近させるように動かす。このときの袋２０の形態は、図６に示す袋１の形態と同じである。この図６を参照して説明すると、ひも４を引っ張るとき、その引っ張り方向によっては、上方角部１６，１６が折曲線１７を軸にして突出部６ｂから離れる方向へ旋回しようとする場合がある。上方角部１６，１６は、前面部５へ向かって裏返しにされた折り返し部１０と突出部６ｂとの間に位置しており、折り返し部１０の剛性が突出部６ｂのそれより大きい。ゆえに、旋回しようとする上方角部１６，１６の動きは、折り返し部１０により規制され、かような上方角部１６，１６の動きは阻止され、ひも４を袋本体３に対して斜め上方から引っ張っても上方角部１６，１６を相互接近させることができる。
【００２３】
この発明は、図示例の袋１，２０の他に、例えば前面部５と、後面部６と、折り返し部１０とが異質のシートからなる袋本体３や底部７にまちを付けた袋本体３を使用して構成することも可能である。また、この発明において、袋本体３は前面部５と後面部６とのうちのいずれかが透液性であればよい。
【００２４】
【発明の効果】
この発明に係るフィルター用の袋は、茶葉やコーヒー粉末などを入れた袋本体をコーヒーカップなどの容器内に配置しても、開口を十分に開いた状態に維持することができ、ポットなどからの湯を袋の開口に容易に注ぎ入れることができる。
【図面の簡単な説明】
【図１】第１実施形態に係るフィルター用の袋の部分破断斜視図。
【図２】図１のＩＩ−ＩＩ線断面図。
【図３】図１のＩＩＩ−ＩＩＩ線断面図。
【図４】角部が折曲された状態のフィルター用の袋の斜視図。
【図５】図４の袋の後面斜視図。
【図６】折り返し部が前面部側へ裏返しにされた状態の部分破断斜視図。
【図７】第２実施形態に係るフィルター用の袋の部分破断斜視図。
【図８】図７のＶＩＩＩ−ＶＩＩＩ線断面図。
【符号の説明】
１，２０  フィルター用の袋
２  シート
３  袋本体
４  ひも
４ａ，４ｂ  ひもの両端部
５  前面部（第１シート）
５ａ  前面部の上端縁部
６  後面部（第２シート）
６ａ  後面部の突出部
６ｂ  後面部の上端縁部
７  底部（下端縁部）
８  接合線
９  開口部
１０  折り返し部
１２  部位
【図１】
2004149132.tif 000003
【図２】
2004149132.tif 000004
【図３】
2004149132.tif 000005
【図４】
2004149132.tif 000006
【図５】
2004149132.tif 000007
【図６】
2004149132.tif 000008
【図７】
2004149132.tif 000009
【図８】
2004149132.tif 000010